(57)【要約】【課題】狭帯域のレーザ光を出力可能なパルスレーザ装置を提供する。【解決手段】パルスレーザ装置１は、パルス光を出力するレーザ光源１０と、レーザ光源１０から出力されたパルス光の位相を変化させる位相変調器３２と、レーザ光源１０から出力されたパルス光を検出して検出信号を出力する光検出器３１と、光検出器３１から出力された検出信号に基づいてパルス光の時間軸波形に比例した位相変化を生じさせる駆動信号Ｖ2(t)を出力し、位相変調器３２を駆動する位相変調器駆動電源３５とを備えて構成される。【選択図】図１
2016102811.tif 000002
【特許請求の範囲】
【請求項１】
パルス光を出力するレーザ光源と、
前記レーザ光源から出力されたパルス光の位相を変化させる位相変調器と、
前記レーザ光源から出力されたパルス光を検出して強度変化の時間軸波形である検出信号を出力する光検出器と、
前記光検出器から出力された前記検出信号に基づいて、前記強度変化の時間軸波形に比例した位相変化を生じさせる駆動信号を出力し、前記位相変調器を駆動する位相変調器駆動電源と
を備えたことを特徴とするパルスレーザ装置。
【請求項２】
パルス光を出力するレーザ光源と、
前記レーザ光源から出力されたパルス光の位相を変化させる位相変調器と、
前記レーザ光源から出力されたパルス光を増幅するファイバ増幅器と、
前記ファイバ増幅器により増幅されたパルス光を検出して強度変化の時間軸波形である検出信号を出力する光検出器と、
前記光検出器から出力された前記検出信号に基づいて、前記強度変化の時間軸波形に比例した位相変化を生じさせる駆動信号を出力し、前記位相変調器を駆動する位相変調器駆動電源と
を備えたことを特徴とするパルスレーザ装置。
【請求項３】
前記位相変調器による位相変調は、前記レーザ光源から出力されたパルス光が入射する光ファイバにおいて生じるパルス光の自己位相変調と変調量が略同一で逆位相の位相変調であることを特徴とする請求項１または２に記載のパルスレーザ装置。
【請求項４】
前記位相変調器は位相変調型の電気光学変調器であり、前記駆動信号は前記光検出器から出力された前記検出信号に比例した時間軸波形の電気信号であることを特徴とする請求項１〜３のいずれか一項に記載のパルスレーザ装置。
【請求項５】
前記レーザ光源から出力されたパルス光が入射する光ファイバは、シングルモードファイバであることを特徴とする請求項１〜４のいずれか一項に記載のパルスレーザ装置。
【請求項６】
前記レーザ光源は、レーザ光を発生する光源と、前記光源により発生されたレーザ光の強度を変調する強度変調器と、出力すべきパルス光のパターンに対応した駆動信号を生成して前記強度変調器を駆動する強度変調器駆動電源とを備えることを特徴とする請求項１〜５のいずれか一項に記載のパルスレーザ装置。
【発明の詳細な説明】
【技術分野】
【０００１】
本発明は、レーザ光源から出力されたパルス光を、伝送用の光ファイバや増幅用の光ファイバ等に入射して出力させる使用形態のパルスレーザ装置に関する。
【背景技術】
【０００２】
上記のようなパルスレーザ装置を有するレーザ装置は、半導体や液晶パネルの製造工程で用いられる露光装置や検査装置用の光源、顕微鏡や望遠鏡等のような観察装置の光源として好適に用いられる（例えば特許文献１を参照）。
【０００３】
このようなレーザ装置では、レーザ光源から出射されたパルス光が伝送用の光ファイバにより伝送され、あるいはファイバ増幅器における増幅用の光ファイバにより増幅される。光ファイバのコアは小径なため、高いピークパワーのパルス光を伝送あるいは増幅すると、非線形光学効果によって自己位相変調（ＳＰＭ：Self  Phase  Modulation）が発生する（例えば特許文献２を参照）。
【先行技術文献】
【特許文献】
【０００４】
【特許文献１】特開２００２−５０８１５号公報
【特許文献２】特開２０１２−２９６５号公報
【発明の概要】
【発明が解決しようとする課題】
【０００５】
自己位相変調（ＳＰＭ）は、多くの場合、光ファイバ内を伝播するレーザ光のスペクトル幅を拡げる方向に作用するため、光ファイバから出射されるレーザ光（出力光）のスペクトル幅が、光ファイバに入射するレーザ光（入射光）のスペクトル幅よりも広くなるスペクトル拡がりが発生する。特に、コア直径が数μｍ〜十数μｍ程度と小径なシングルモードファイバでは、伝播するレーザ光のパワー密度が極めて高くなるため、自己位相変調によるスペクトル拡がりが大きくなる。スペクトル幅の拡大は、単色性が高い狭帯域の光源が求められる場合に障害となる。
【０００６】
例えば、ピークパワーがＰ＝１０ｋＷのパルス光を、モード径が１５μｍ、長さがＬ＝１ｍの伝送用の光ファイバに入射して伝送させる場合、光ファイバから出射するパルス光は、自己位相変調によってφ≒γＰＬ≒７radの位相変調を受ける。ここで、γは非線形光学効果を表す量であり、γ＝２πｎ2／λＡeffで求められる。式中のｎ2は非線形屈折率であり、ｎ2≒３×１０-20[ｍ2／Ｗ]、Ａeffは光ファイバの導波モードの実効断面積である。
【０００７】
この結果、仮に、光ファイバに入射する入射光がフーリエ限界のパルス光で狭帯域のスペクトルをもっていたとしても、光ファイバ伝播後には、出射光はφ倍程度にスペクトルが拡大する。これは、狭帯域が要求される光源を実現する際の大きな障害となる。
【０００８】
本発明はこのような事情に鑑みてなされたものであり、狭帯域のパルス光を出力可能なパルスレーザ装置を提供することを目的とする。
【課題を解決するための手段】
【０００９】
上記課題を解決する手段のひとつとして、本願発明者らは図４に示すようなパルスレーザ装置９を考案した。このパルスレーザ装置９は、パルス光を出力するレーザ光源１１０と、レーザ光源１１０から出力されたパルス光の位相を変化させる位相変調器１３２とを備える。レーザ光源１１０は、レーザ光を発生する光源１１１と、光源１１１により発生されたレーザ光の強度を変調してパルス光を出力する強度変調器１１２と、パルス発生器１１６を有し強度変調器１１２および位相変調器１３２を駆動する変調器駆動電源１１５とを備えて構成される。図４には、光源１１１の一例としてＤＦＢ半導体レーザ（ＤＦＢ−ＬＤ：Distributed  Feedback  Laser  Diode）、強度変調器１１２の一例として強度変調型の電気光学変調器（ＥＯＭ：Electro  Optic  Modulator、以下ＥＯ強度変調器という）、位相変調器１３２の一例として位相変調型の電気光学変調器（ＥＯＭ、以下ＥＯ位相変調器という）を用いた構成を例示する。
【００１０】
本構成例において、光源１１１はＣＷ（Continuous  Wave）で発光させる。ＥＯ強度変調器１１２には、レーザ光源から出力すべきパルス光のパルスパターンに対応した波形の強度変調器駆動信号Ｖ1(t)を変調器駆動電源１１５から与え、光源１１１から出力されたレーザ光の一部を切り出してパルス光を生成する。ＥＯ強度変調器１１２により生成されるパルス光の時間的な強度変化である時間軸波形Ｐ(t)は、ＥＯ強度変調器１１２の透過率と印加電圧の関係から次式で表わされる。式中のＶπはＥＯ強度変調器１１２の半波長電圧である。
【数１】
2016102811.tif 000003
【００１１】
いま、パルスレーザ装置９から出力されたパルス光を伝送しあるいは増幅する光ファイバについて、分散などに起因する時間軸波形の歪みがないと仮定すると、光ファイバ内で生じる自己位相変調（ＳＰＭ）による位相変調φSPM(t)は時間軸波形Ｐ(t)に比例し、次式で表わされる。
【数２】
2016102811.tif 000004
【００１２】
従って、光ファイバ内で生じるＳＰＭによる位相変調φSPM(t)と逆の位相変調を、ＥＯ位相変調器１３２により予めパルス光にかけておくことによって、光ファイバ内で生じるＳＰＭによる位相変調φSPM(t)を相殺し、光ファイバから狭帯域のパルス光を出力させることができる。あるいは、ＥＯ位相変調器１３２を光ファイバの出射端近傍に設け、光ファイバ内で生じるＳＰＭによる位相変調φSPM(t)と逆の位相変調をかけることによって、光ファイバ内で生じたＳＰＭによる位相変調φSPM(t)を相殺し、狭帯域のパルス光を出力させることができる。なお、逆の位相変調とは、光ファイバ内で生じるＳＰＭによる位相変調と変調量が略同一で逆位相の位相変調をいう。
【００１３】
ＥＯ位相変調器１３２によりφSPM(t)と逆の位相変調をかけるためには、ＥＯ位相変調器１３２を駆動する位相変調器駆動信号Ｖ2(t)は次式のようになる。
【数３】
2016102811.tif 000005
【００１４】
このような構成により、伝送用あるいは増幅用の光ファイバ内で生じる自己位相変調によるスペクトル拡がりを抑制し、狭帯域のパルス光を出力させることができる。このとき、変調器駆動電源のパルス発生器１１６からは、Ｖ2(t)のような信号を発生させる必要があり、比較的複雑な電気回路を必要とする。また、この方法では、パルス光Ｐ(t)が外部から与えられるような場合、例えば、モードロックレーザやＱスイッチレーザから与えられるような場合に、位相変調器駆動信号Ｖ2(t)を高い時間精度で入射パルスに同期させる必要があり、電気回路を含めた制御構成が一層複雑になるおそれがある。そこで、発明者らはさらに研究を進め、以下のような構成のパルスレーザを提案する。
【００１５】
本発明を例示する態様のパルスレーザ装置は、パルス光を出力するレーザ光源と、このレーザ光源から出力されたパルス光の位相を変化させる位相変調器と、レーザ光源から出力されたパルス光を検出して強度変化の時間軸波形である検出信号を出力する光検出器と、光検出器から出力された検出信号に基づいて前記強度変化の時間軸波形に比例した位相変化を生じさせる駆動信号を出力し、位相変調器を駆動する位相変調器駆動電源とを備えて構成される。
【００１６】
本発明を例示する他の態様のパルスレーザ装置は、パルス光を出力するレーザ光源と、このレーザ光源から出力されたパルス光の位相を変化させる位相変調器と、レーザ光源から出力されたパルス光を増幅するファイバ増幅器と、ファイバ増幅器により増幅されたパルス光を検出して強度変化の時間軸波形である検出信号を出力する光検出器と、光検出器から出力された検出信号に基づいて前記強度変化の時間軸波形に比例した位相変化を生じさせる駆動信号を出力し、位相変調器を駆動する位相変調器駆動電源とを備えて構成される。
【００１７】
なお、前記位相変調器による位相変調は、レーザ光源から出力されたパルス光が入射する光ファイバにおいて生じるパルス光の自己位相変調と変調量が略同一で逆位相の位相変調とすることができる。また、前記位相変調器は位相変調型の電気光学変調器であり、前記駆動信号は光検出器から出力された検出信号に比例した時間軸波形の電気信号とすることができる。
【００１８】
また、前記レーザ光源から出力されたパルス光が入射する光ファイバは、シングルモードファイバとすることができる。
【００１９】
さらに、前記レーザ光源は、レーザ光を発生する光源と、この光源により発生されたレーザ光の強度を変調する強度変調器と、出力すべきパルス光のパターンに対応した駆動信号を生成して強度変調器を駆動する強度変調器駆動電源とを備えて構成することができる。
【発明の効果】
【００２０】
本発明によれば、光検出器から出力された検出信号、すなわち前述したパルス光の時間的な強度変化である時間軸波形Ｐ(t)に基づき、これに比例した位相変化を生じさせる駆動信号が位相変調器駆動電源から位相変調器に供給される。そのため、ＳＰＭによる位相変調φSPM(t)を相殺し、狭帯域のパルス光を出力させることができる。
【００２１】
また、位相変調器駆動電源は前述したＶ2(t)のような比較的複雑な信号を人為的に生成する必要がないため、簡明な構成で狭帯域のパルス光を出力するパルスレーザを提供することができる。さらに、本構成においては光検出器によりパルス光を検出するため、パルス光が外部から与えられるか内部で発生するかに拘わらず、簡明な構成で狭帯域のパルス光を出力するパルスレーザを提供することができる。
【図面の簡単な説明】
【００２２】
【図１】本発明の適用例として示す、第１構成形態のパルスレーザ装置の概要構成図(ブロック図)である。
【図２】本発明の適用例として示す、第２構成形態のパルスレーザ装置の概要構成図(ブロック図)である。
【図３】本発明の適用例として示す、第３構成形態のパルスレーザ装置の概要構成図(ブロック図)である。
【図４】狭帯域化を実現するための、他の構成形態のパルスレーザ装置の概要構成図(ブロック図)である。
【発明を実施するための形態】
【００２３】
以下、本発明を実施するための形態について、図面を参照しながら説明する。本発明の適用例として、第１構成形態のパルスレーザ装置１の概要構成図（ブロック図）を図１に示す。パルスレーザ装置１は、パルス光を出力するレーザ光源１０と、自己位相変調を補償するＳＰＭ補償部３０と、パルスレーザ装置全体の作動を制御する制御部(不図示)とを備えて構成される。
【００２４】
パルスレーザ装置１から出力されたパルス光は、図示省略する増幅用の光ファイバまたは伝送用の光ファイバに入射される。これらの光ファイバは、シングルモードファイバ／マルチモードファイバのいずれを用いることもできるが、モード径が小さく自己位相変調の影響を受けやすいシングルモードファイバの場合に、より大きな効果を得ることができる。逆説すれば、以下に説明するパルスレーザ装置１，２，３によれば、光ファイバ内で生じる自己位相変調の影響を排除して、シングルモードファイバを用いることができる。
【００２５】
レーザ光源１０は、ＣＷのレーザ光を発生する光源１１と、光源１１により発生されたレーザ光の強度を変調する強度変調器１２と、パルスレーザ装置１から出力すべきパルス光のパターンに対応した強度変調器駆動信号Ｖ1(t)を生成して強度変調器１２を駆動する強度変調器駆動電源１５とを備えて構成される。
【００２６】
図１には、光源１１としてＤＦＢ半導体レーザ（ＤＦＢ−ＬＤ）を用い、強度変調器１２として強度変調型の電気光学変調器（ＥＯＭ、ＥＯ強度変調器）を用いた構成を例示する。強度変調器駆動電源１５は、パルスレーザ装置１から出力すべきパルス光のパターン(例えば、オン時間１ｎsec、繰り返し周波数１ＭHz等)に対応したパルス信号を発生するパルス発生器１６、およびパルス発生器１６により発生されたパルス信号をＥＯ強度変調器１２の駆動に必要な振幅レベルまで増幅して出力する増幅器(不図示)を有して構成される。
【００２７】
すなわち、強度変調器駆動電源１５は、パルスレーザ装置１から出力すべきパルス光のパターンに対応した強度変調器駆動信号Ｖ1(t)をＥＯ強度変調器１２に出力する。これにより、光源１１で発生されたＣＷのレーザ光は、ＥＯ強度変調器１２によって一部が切り出され、時間軸波形Ｐ(t)のパルス光がレーザ光源１０から出力される。
【００２８】
このように、光源１１であるＤＦＢ半導体レーザからＣＷのレーザ光を出力させ、その一部をＥＯ強度変調器１２により切り出すように構成すると、ＤＦＢ半導体レーザを直接パルス変調したときに発生するチャープ（周波数変調）を伴うことがなく、フーリエ限界に近い極めて狭帯域のパルス光を発生させることができる。なお、パルス光の帯域幅は多少拡がるが、光源１１からオン時間が十分に長いパルス光を出力させ、ＥＯ強度変調器１２によってその一部を切り出すように構成しても良い。
【００２９】
ＳＰＭ補償部３０は、レーザ光源１０から出力されたパルス光を検出して時間軸波形Ｐ(t)に比例した検出信号ＶPD(t)を出力する光検出器３１と、レーザ光源１０から出力されたパルス光の位相を変化させる位相変調器３２と、光検出器３１から出力された検出信号に基づいて時間軸波形Ｐ(t)に比例した位相変化を生じさせる位相変調器駆動信号Ｖ2(t)を出力する位相変調器駆動電源３５とを備えて構成される。強度変調器１２と位相変調器３２との間は接続用の光ファイバ２２で接続され、この光ファイバ２２にパルス光の一部（例えば数％程度）を分岐して取り出すカプラ（不図示）が設けられる。そして、カプラを介して取り出されたパルス光が光検出器３１に導かれて検出される。
【００３０】
図１には、光検出器３１としてフォトダイオード（ＰＤ）を用い、位相変調器３２として位相変調型の電気光学変調器（ＥＯＭ、ＥＯ位相変調器）を用いた構成を例示する。位相変調器駆動電源３５には、光検出器３１から出力された検出信号ＶPD(t)に所要の遅延を与え、必要に応じて波形を調整する調整回路３６が設けられる。また、調整回路３６から出力された信号をＥＯ位相変調器３２の駆動に必要な振幅レベルまで増幅する増幅器３７が設けられる。
【００３１】
このとき、光検出器３１から出力される検出信号ＶPD(t)は、パルス光の時間軸波形Ｐ(t)に比例し、次式で示される。
【数４】
2016102811.tif 000006
【００３２】
前述したように、パルス光を伝送しあるいは増幅する光ファイバについて、分散などに起因する時間軸波形の歪みがないと仮定すると、光ファイバ内で生じるＳＰＭによる位相変調φSPM(t)は、パルス光の時間軸波形Ｐ(t)に比例する（前述の（２）式を参照）。そして、光ファイバ内で生じるＳＰＭによる位相変調φSPM(t)と逆の位相変調を、ＥＯ位相変調器３２により予めパルス光にかけておくことによって、光ファイバ内で生じるＳＰＭによる位相変調φSPM(t)を相殺することができる。
【００３３】
すなわち、光検出器３１から出力される検出信号ＶPD(t)は、光ファイバ内でのＳＰＭによる位相変調φSPM(t)を相殺するためにＥＯ位相変調器３２にかけるべき電気信号と相似する波形であることが分かる。光検出器３１から出力された検出信号ＶPD(t)は、調整回路３６により必要に応じて波形が調整され、ＥＯ位相変調器３２の位置においてパルス光Ｐ(t)と位相変調とのタイミングを正確に合わせるため必要に応じて所要の遅延が与えられる。調整回路３６により調整された検出信号は、増幅器３７によりＥＯ位相変調器３２の駆動に必要な振幅レベルに増幅され、増幅された位相変調器駆動信号Ｖ2(t)がＥＯ位相変調器３２に入力される。
【００３４】
このとき、位相変調器駆動信号Ｖ2(t)は、光ファイバにおいて生じるパルス光の自己位相変調と逆の位相変調をＥＯ位相変調器３２において生じさせる電気信号である。ここで、パルス光の自己位相変調φSPMと変調量が同一となるＶ2の振幅は、およそ次式で示す程度となる。
【数５】
2016102811.tif 000007
【００３５】
このような位相変調器駆動信号Ｖ2(t)を、パルス光が透過するタイミングに合わせてＥＯ位相変調器３２に入力し、位相変調をかけることにより、その後入射する光ファイバで生じるＳＰＭによる位相変調と変調量が同一で逆位相の変調を受けたパルス光が出力される。そのため、光ファイバ内ではＳＰＭによって生じる位相変調が相殺され、光ファイバの出射端からスペクトル幅が狭い狭帯域のパルス光が出力される。
【００３６】
なお、上記実施例では、ＥＯ位相変調器３２の位置においてパルス光Ｐ(t)と位相変調とのタイミングを合わせるため、光検出器３１から出力された検出信号（電気信号）に所要の遅延を与える構成を例示した。しかしながら、パルスレーザ装置は、ＥＯ位相変調器３２の位置においてパルス光Ｐ(t)と位相変調とのタイミングが合致するように構成すれば他の手段であっても良い。例えば、ＥＯ強度変調器１２とＥＯ位相変調器３２との間を結ぶ接続用の光ファイバ２２の長さ、またはこの光ファイバ２２から分岐して光検出器３１との間を結ぶ光ファイバの長さを調整し、あるいは、光の遅延回路（delay  line）によって調整してパルスレーザ装置を構成しても良い。電気的な遅延回路と光学的な遅延回路とを適宜組み合わせて構成することも可能である。また、調整回路３６は、増幅器３７の持つ入力／出力の非線形応答を補正するように構成しても良い。
【００３７】
このように、以上説明したパルスレーザ装置１によれば、光ファイバ内で生じるＳＰＭによる位相変調を相殺し、狭帯域のパルス光を出力させることができる。また、図４を参照して説明したように、ＥＯ位相変調器３２を駆動する位相変調器駆動信号Ｖ2(t)として、複雑な信号を独立して発生させる必要がないため、簡明な構成で狭帯域のパルス光を出力するパルスレーザ装置を提供することができる。
【００３８】
次に、第２構成形態のパルスレーザ装置２について、その概要構成を例示する図２を参照して説明する。パルスレーザ装置２は、パルス光を出力するレーザ光源１０と、レーザ光源１０から出力されたパルス光を増幅するファイバ増幅器２０と、自己位相変調を補償するＳＰＭ補償部３０と、パルスレーザ装置全体の作動を制御する制御部(不図示)とを備えて構成される。
【００３９】
本構成形態のパルスレーザ装置２は、ファイバ増幅器２０により増幅されたパルス光を光検出器３１で検出し、その検出信号に基づいてファイバ増幅器２０の増幅用ファイバ２５で生じる自己位相変調を補償するように構成される。すなわち、本構成形態のパルスレーザ装置２は、現実に光ファイバを透過したパルス光に基づいてＳＰＭによる位相変調を補償する点において、光ファイバを透過する前のパルス光に基づいてＳＰＭによる位相変調を補償する第１構成形態のパルスレーザ装置１と相違する。パルス光を出力するレーザ光源１０、および自己位相変調を補償するＳＰＭ補償部３０の基本的な構成は、前述したパルスレーザ装置１のレーザ光源１０およびＳＰＭ補償部３０と同様である。そこで、図２には同様の構成部分に同一番号を付して説明を簡略化し、相違する部分を中心に説明する。
【００４０】
レーザ光源１０は、ＣＷのレーザ光を発生する光源１１と、光源１１により発生されたレーザ光の強度を変調する強度変調器１２と、パルスレーザ装置１から出力すべきパルス光のパターンに対応した強度変調器駆動信号Ｖ1(t)を生成して強度変調器１２を駆動する強度変調器駆動電源１５とを備えて構成される。光源１１としてＤＦＢ半導体レーザ（ＤＦＢ−ＬＤ）、強度変調器１２としてＥＯ強度変調器（ＥＯＭ）を用いた構成を例示する。強度変調器駆動電源１５は、パルス発生器１６および不図示の増幅器を有して構成される。本構成により、光源１１で発生されたＣＷのレーザ光は、ＥＯ強度変調器１２によって一部が切り出され、時間軸波形Ｐ(t)のパルス光がレーザ光源１０から出力される。
【００４１】
ファイバ増幅器２０は、コアにレーザ媒質がドープされた増幅用の光ファイバ（増幅用ファイバ）２５と、増幅用ファイバ２５を励起する不図示の励起光源と、励起光源の作動を制御する不図示の制御部とを備えて構成される。図２には、増幅用ファイバ２５のコアにエルビウム（Ｅｒ）がドープされたエルビウム・ドープ・ファイバ増幅器（ＥＤＦＡ）を用いた構成を例示する。増幅用ファイバ２５は、モード径が１〜１５μｍ程度以下のシングルモードファイバである。なお、レーザ光源１０およびファイバ増幅器２０は、パルスレーザ装置から出力するパルス光の波長に応じて適宜選定することができ、例えば、ファイバ増幅器２０として、イッテルビウム・ドープ・ファイバ増幅器（ＹＤＦＡ）やツリウム・ドープ・ファイバ増幅器（ＴＤＦＡ）などを用いることもできる。
【００４２】
ＳＰＭ補償部３０は、レーザ光源１０から出力されたパルス光の位相を変化させる位相変調器３２と、ファイバ増幅器２０から出力される増幅されたパルス光（以下、増幅パルス光という）を検出して、その時間軸波形ＰA(t)に比例した検出信号を出力する光検出器３１と、光検出器３１から出力された検出信号に基づいて時間軸波形ＰA(t)に比例した位相変化を生じさせる位相変調器駆動信号Ｖ2(t)を出力する位相変調器駆動電源３５とを備えて構成される。すなわち、位相変調器３２はレーザ光源１０とファイバ増幅器２０との間に設けられる。
【００４３】
増幅用ファイバ２５の出力端部近傍には、増幅パルス光の一部（例えば１％程度）を分岐して取り出すカプラ（不図示）が設けられ、このカプラを介して取り出された増幅パルス光が光検出器３１に導かれて検出される。光検出器３１としてフォトダイオード（ＰＤ）、位相変調器３２としてＥＯ位相変調器（ＥＯＭ）を用いた構成を例示する。
【００４４】
位相変調器駆動電源３５には、光検出器３１から出力された検出信号ＶPD(t)に所要の遅延を与え、必要に応じて波形を調整する調整回路３６が設けられるとともに、その出力信号をＥＯ位相変調器３２の駆動に必要な振幅レベルまで増幅する増幅器３７が設けられる。ここで、光検出器３１により検出されるパルス光は、既にＥＯ位相変調器３２を通過したパルス光である。そのため、ＥＯ位相変調器３２による位相変調は、所定の繰り返し周期で入射する光パルスのうち、光検出器３１で検出された光パルスを基準として１パルス〜数パルス程度後の光パルスに対して行われる。調整回路３６は、ＥＯ位相変調器３２の位置において、パルス光Ｐ(t)と位相変調記駆動信号Ｖ2(t)とのタイミングが合致するように、光検出器３１の検出信号に所要の遅延を与える。
【００４５】
ここで、ファイバ増幅器２０で増幅後のパルス光のパルスエネルギーが、増幅用ファイバ２５の飽和エネルギー（saturation  energy）に対して充分に小さい場合には、増幅用ファイバ２５から出射する増幅パルス光の時間軸波形ＰA(t)は、増幅用ファイバ２５に入射するパルス光の時間軸波形Ｐ(t)と相似した波形になる。すなわち、この場合にはＰA(t)∝Ｐ(t)であり、光検出器３１から出力される検出信号ＶPD(t)はＶPD(t)∝ＰA(t)∝Ｐ(t)となる。従って、この場合の効果は、前述したパルスレーザ装置１と同様であり、増幅用ファイバ２５内で生じるＳＰＭによる位相変調φSPM(t)が相殺される。
【００４６】
一方、ファイバ増幅器２０で増幅後のパルス光のパルスエネルギーが、増幅用ファイバ２５の飽和エネルギーと比較して無視できない大きさになった場合、増幅用ファイバ２５から出射する増幅パルス光の時間軸波形ＰA(t)は、増幅用ファイバ２５に入射するパルス光の時間軸波形Ｐ(t)と相当程度異なったものとなる。例えば、増幅用ファイバ２５に入射するパルス光の時間軸波形すなわちパルス波形Ｐ(t)が綺麗な矩形波であっても、増幅用ファイバ２５から出射する増幅パルス光のパルス波形ＰA(t)は、先頭部で急峻に立ち上がった後になだらかに漸減するような崩れた波形になり得る。自己位相変調（ＳＰＭ）の効果は、パルス光のピークパワーが高いほど大きい。すなわち、増幅用ファイバ２５の出射端近傍で最も大きくなる。
【００４７】
そのため、このような場合には、増幅パルス光のパルス波形ＰA(t)が増幅前のパルス光のパルス波形Ｐ(t)と相似せず、パルス波形Ｐ(t)を基準として位相変調器駆動信号Ｖ2(t)を生成する構成ではＳＰＭによる自己位相変調を補償しきれない。従って、増幅用ファイバ２５の飽和エネルギーと同等、またはそれ以上のパルスエネルギーを持つ増幅パルス光を出力するようなパルスレーザ装置においては、増幅用ファイバ２５から出力される増幅パルス光のパルス波形ＰA(t)に基づいて位相変調器駆動信号Ｖ2(t)を生成することが望ましい。本構成のパルスレーザ装置２においては、増幅用ファイバ２５の出力端部近傍から分岐して設けられた光検出器３１が増幅パルス光を検出し、増幅パルス光のパルス波形ＰA(t)に基づいて位相変調器駆動信号Ｖ2(t)が生成される。そして、生成された位相変調器駆動信号Ｖ2(t)によりＥＯ位相変調器３２が駆動され、パルス光にＳＰＭによる位相変調φSPM(t)と逆の位相変調をかける。
【００４８】
従って、本構成のパルスレーザ装置２によれば、増幅前後のパルス波形が必ずしも相似しない比較的大きなパルスエネルギーを持つパルス光を出力するような場合でも、増幅用ファイバ内で生じるＳＰＭによる位相変調を相殺することができる。また、Ｖ2(t)のような比較的複雑な信号を独立して発生させる必要がないため、簡明な構成でスペクトル幅が狭い狭帯域の増幅パルス光を出力するパルスレーザ装置を提供することができる。
【００４９】
次に、第３構成形態のパルスレーザ装置３について、その概要構成を例示する図３を参照して説明する。パルスレーザ装置３は、パルス光を出力するレーザ光源（パルスレーザ）１７と、自己位相変調を補償するＳＰＭ補償部３０と、パルスレーザ装置全体の作動を制御する制御部(不図示)とを備えて構成される。
【００５０】
本構成形態のパルスレーザ装置３は、第１構成形態のパルスレーザ装置１の変更例であり、パルス光を出力するレーザ光源１７の構成が、パルスレーザ装置１のレーザ光源１０と相違する。一方、自己位相変調を補償するＳＰＭ補償部３０の基本的な構成は、パルスレーザ装置１のＳＰＭ補償部３０と同様である。そこで、図３には同様の構成部分に同一番号を付して説明を簡略化し、相違する部分を中心に説明する。
【００５１】
レーザ光源（パルスレーザ）１７は、自律的にパルス光を出力する光源である。換言すれば、パルスレーザ装置３は、時間軸波形Ｐ(t)のパルス光が外部から与えられるような場合の構成例であり、例えば、レーザ光源１７としてモードロックレーザやＱスイッチレーザ等を用いた場合に好適な構成である。
【００５２】
レーザ光源１７から出力された時間軸波形Ｐ(t)のパルス光は、接続用の光ファイバ２３を介して位相変調器３２に入射する。光ファイバ２３には、レーザ光源１７から出力されたパルス光の一部（例えば１〜数％程度）を分岐して取り出すカプラ（不図示）が設けられ、このカプラを介して取り出されたパルス光が光検出器３１に導かれて検出される。光検出器３１としてフォトダイオード（ＰＤ）、位相変調器３２としてＥＯ位相変調器（ＥＯＭ）を用いた構成を例示する。
【００５３】
このとき、光検出器３１から出力される検出信号ＶPD(t)は、パルス光の時間軸波形Ｐ(t)に比例し、前述した（４）式で示される。パルス光を伝送する光ファイバ、あるいは増幅する光ファイバについて、分散などに起因する時間軸波形の歪みがないと仮定すれば、光ファイバ内で生じるＳＰＭによる位相変調φSPM(t)は、パルス光の時間軸波形Ｐ(t)に比例する（前述の（２）式を参照）。そのため、光ファイバ内で生じるＳＰＭによる位相変調φSPM(t)と逆の位相変調を、ＥＯ位相変調器３２により予めパルス光にかけておくことによって、光ファイバ内で生じるＳＰＭによる位相変調φSPM(t)を相殺することができる。
【００５４】
従って、以上説明したパルスレーザ装置３によれば、光ファイバ内で生じるＳＰＭによる位相変調を相殺し、狭帯域のパルス光を出力させることができる。また、ＥＯ位相変調器３２を駆動する位相変調器駆動信号Ｖ2(t)として、複雑な信号を人為的に生成する必要がないため、簡明な構成で狭帯域のパルス光を出力するパルスレーザ装置を提供することができる。
【００５５】
以上説明したように、パルスレーザ装置１，２，３によれば、光検出器により検出されたパルス光を基準とし、これに比例した位相変化を生じさせる位相変調駆動信号が位相変調器に供給される。そのため、光ファイバで生じるＳＰＭによる位相変調を相殺し、狭帯域のパルス光を出力させることができる。また、位相変調器駆動電源が複雑な信号を人為的に生成する必要がないため、簡明な構成で狭帯域のパルス光を出力するパルスレーザを提供することができる。また、パルス光が外部から与えられるか内部で発生するかに拘わらず、簡明な構成で狭帯域のパルス光を出力するパルスレーザを提供することができる。
【００５６】
なお、以上では、レーザ光源１０，１７から出力されたパルス光に、送信用または増幅用の光ファイバ内で生じるＳＰＭによる位相変調と逆の位相変調を、これらの光ファイバに入射する以前に、ＥＯ位相変調器３２により予めかけておく構成を主体として説明した。しかし、ＥＯ位相変調器３２を送信用の光ファイバまたは増幅用の光ファイバの出射端部近傍に設け、これらの光ファイバで生じたＳＰＭによる位相変調を事後的に相殺するように構成しても良い。また、１つの位相変調器では変調量が不足する場合には、２つ以上の位相変調器を直列に接続することにより、十分な位相変調量を確保する事が可能である。
【符号の説明】
【００５７】
１  第１構成形態のパルスレーザ装置
２  第２構成形態のパルスレーザ装置
３  第３構成形態のパルスレーザ装置
９  他の構成形態のパルスレーザ装置
１０  レーザ光源
１１  光源
１２  強度変調器（ＥＯ強度変調器）
１５  強度変調器駆動電源
１６  パルス発生器
１７  レーザ光源
２０  ファイバ増幅器
２２  接続用の光ファイバ
２３  接続用の光ファイバ
２５  増幅用の光ファイバ
３０  ＳＰＭ補償部
３１  光検出器
３２  位相変調器（ＥＯ位相変調器）
３５  位相変調器駆動電源
Ｐ(t)  パルス光の時間軸波形
ＰA(t)  増幅パルス光の時間軸波形
Ｖ1(t)  強度変調器駆動信号
Ｖ2(t)  位相変調器駆動信号
ＶPD(t)  検出信号
【図１】
2016102811.tif 000008
【図２】
2016102811.tif 000009
【図３】
2016102811.tif 000010
【図４】
2016102811.tif 000011